(57)【要約】【課題】  検索条件の入力の手間を省き、入力効率を向上させる一方、検索条件の入力時に発生するヒューマンエラーを極力回避する検索支援装置の提供。【解決手段】検索機能情報と、複数の検索機能で構成される機能群を区別する機能群識別子とが対応づけられた機能群情報１２１と、検索条件と、機能群識別子とが対応づけられた検索条件情報１２２と、複数ある検索機能の選択を受け付ける選択受付部１１３と、受け付けた検索機能がいずれの機能群に属するかを前記機能群情報１２１に基づき判定する機能群判定部１１６と、判定した機能群に対応する検索条件を前記検索条件情報１２２から抽出する検索条件抽出部１１４とを備える。【選択図】      図２
2007025949.tif 000002
【特許請求の範囲】
【請求項１】
複数の検索項目に対応する検索条件に基づきデータベースからデータを検索する検索機能の種類を複数備える検索装置に対し、前記検索条件の入力を支援する検索支援装置であって、
前記検索機能を区別する検索機能情報と、複数の検索機能で構成される機能群を区別する機能群識別子とが対応づけられた機能群情報が記憶される機能群情報記憶手段と、
入力された検索条件と、機能群識別子とが対応づけられた検索条件情報が記憶される検索条件情報記憶手段と、
複数ある検索機能の選択を受け付ける選択受付手段と、
前記選択受付手段が受け付けた検索機能がいずれの機能群に属するかを前記機能群情報に基づき判定する機能群判定手段と、
前記機能群判定手段が判定した機能群に対応する検索条件を前記検索条件情報から抽出する検索条件抽出手段と
を備えることを特徴とする検索支援装置。
【請求項２】
さらに、選択受付手段が直前に受け付けた検索機能が属する機能群と、今回受け付けた検索機能が属する機能群とが異なる場合に、前記検索条件抽出手段の実行を阻止する直前機能群比較手段を備える請求項１に記載の検索支援装置。
【請求項３】
さらに、前記検索条件抽出手段で抽出される検索条件を表示する検索条件表示手段と、
当該検索条件の変更を受け付ける変更受付手段と
を備える請求項１に記載の検索支援装置。
【請求項４】
さらに、前記検索条件抽出手段により抽出された検索条件を検索装置に送信すると共に、当該検索条件に基づき前記検索装置に検索を実行させる検索実行手段と、
直前に選択された検索機能が属する機能群と今回選択された検索機能が属する機能群とが同一である場合に、今回の検索条件が選択されると前記検索実行手段を機能させる即時実行手段と
を備える請求項１に記載の検索支援装置。
【請求項５】
複数の検索項目に対応する検索条件に基づきデータベースからデータを検索する検索機能の種類を複数備える検索装置に対し、前記検索条件の入力を支援する検索支援方法であって、
前記検索機能を区別する検索機能情報と、複数の検索機能で構成される機能群を区別する機能群識別子とが対応づけられた機能群情報が記憶される機能群情報を取得する機能群情報取得ステップと、
入力された検索条件と、機能群識別子とが対応づけられた検索条件情報を取得する検索条件情報取得ステップと、
複数ある検索機能の選択を受け付ける選択受付ステップと、
前記選択受付ステップにて受け付けた検索機能がいずれの機能群に属するかを前記機能群情報に基づき判定する機能群判定ステップと、
前記機能群判定ステップにて判定した機能群に対応する検索条件を前記検索条件情報から抽出する検索条件抽出ステップと
を含むことを特徴とする検索支援方法。
【請求項６】
複数の検索項目に対応する検索条件に基づきデータベースからデータを検索する検索機能の種類を複数備える検索装置に対し、前記検索条件の入力を支援する検索支援プログラムであって、
前記検索機能を区別する検索機能情報と、複数の検索機能で構成される機能群を区別する機能群識別子とが対応づけられた機能群情報が記憶される機能群情報を取得する機能群情報取得ステップと、
入力された検索条件と、機能群識別子とが対応づけられた検索条件情報を取得する検索条件情報取得ステップと、
複数ある検索機能の選択を受け付ける選択受付ステップと、
前記選択受付ステップにて受け付けた検索機能がいずれの機能群に属するかを前記機能群情報に基づき判定する機能群判定ステップと、
前記機能群判定ステップにて判定した機能群に対応する検索条件を前記検索条件情報から抽出する検索条件抽出ステップと
をコンピュータに実行させることを特徴とする検索支援プログラム。
【請求項７】
複数の検索項目に対応する検索条件に基づきデータベースからデータを検索する検索機能の種類を複数備える検索手段と、
前記検索機能を区別する検索機能情報と、複数の検索機能で構成される機能群を区別する機能群識別子とが対応づけられた機能群情報が記憶される機能群情報記憶手段と、
入力された検索条件と、機能群識別子とが対応づけられた検索条件情報が記憶される検索条件情報記憶手段と、
複数ある検索機能の選択を受け付ける選択受付手段と、
前記選択受付手段が受け付けた検索機能がいずれの機能群に属するかを前記機能群情報に基づき判定する機能群判定手段と、
前記機能群判定手段が判定した機能群に対応する検索条件を前記検索条件情報から抽出する検索条件抽出手段と
を備えることを特徴とする検索装置。
【発明の詳細な説明】
【技術分野】
【０００１】
本発明は、データベースからデータを検索する検索装置への検索条件の入力を支援する検索支援装置などに関する。特に、複数種類の検索機能を備える検索装置に対し、検索機能が属する機能群に基づき支援内容が異なる検索支援装置に関する。
【背景技術】
【０００２】
従来、例えばある国の市場における製品の販売台数のシェアをデータベースから検索する場合、販売シェア検索機能を備えた検索装置（検索エンジン）に対し、当該販売シェア検索機能に対応する検索項目に、国名や製品の種類、シェアを求めたい時期などの検索条件を入力して検索が行われる。
【０００３】
そして、得られた検索データに統計的な計算などを加え、表やグラフに仕上げてディスプレイなどに表示することにより、検索結果を視覚的に把握しやすくするデータの加工などが行われている。
【０００４】
さらに別の視点、例えば前記と同一の国における同一の製品の売上高のシェアを検索するような場合は、検索装置に入力する検索条件は前回入力した検索条件とほぼ同じであることが多いため、前回入力された検索条件を今回の検索時に表示し、必要な項目のみ修正を加えた上で検索条件を検索装置に入力することにより、検索条件の入力の手間を省略し、検索条件の入力効率を向上させるという発明が提案されている（特許文献１参照）。
【特許文献１】特開２００１−６７３７４号公報
【発明の開示】
【発明が解決しようとする課題】
【０００５】
ところが、単に前回入力された検索条件を引き継いで表示する従来例の場合、例えば、全く新たな視点や観点でデータベースを検索したい場合にも、前回入力された検索条件が引き継がれて表示されるため、今回の検索には不必要な検索条件は削除しなければならず一から検索条件を入力するよりもかえって入力の手間が増加することがある。
【０００６】
さらに、削除しなければならない項目を見落としたり、非常に似通った検索条件の内容であったため、修正しなければならない検索項目を見落としたりして、意に反する検索条件のまま検索装置に入力し、そのことに気づかずに検索を実行してしまうことがある。
【０００７】
上記のように、入力の手間が増加することは発明の目的に反して問題があるばかりか、検索条件が間違っているにもかかわらず、そのことに気づかずに検索結果を得た場合には、間違った情報に基づき何らかの現象を解析することになり、解析労力の無駄になるばかりか、非常に危険な状況を招く場合も考えられる。
【０００８】
本発明は前記問題点に鑑みなされたものであり、検索条件の入力の手間を省き、入力効率を向上させる一方、前記ヒューマンエラーを極力回避しうる検索支援装置の提供を目的とする。
【課題を解決するための手段】
【０００９】
上記目的を達成するために、本出願に係る検索支援装置は、複数の検索項目に対応する検索条件に基づきデータベースからデータを検索する検索機能の種類を複数備える検索装置に対し、前記検索条件の入力を支援する検索支援装置であって、前記検索機能を区別する検索機能情報と、複数の検索機能で構成される機能群を区別する機能群識別子とが対応づけられた機能群情報が記憶される機能群情報記憶手段と、入力された検索条件と、機能群識別子とが対応づけられた検索条件情報が記憶される検索条件情報記憶手段と、複数ある検索機能の選択を受け付ける選択受付手段と、前記選択受付手段が受け付けた検索機能がいずれの機能群に属するかを前記機能群情報に基づき判定する機能群判定手段と、前記機能群判定手段が判定した機能群に対応する検索条件を前記検索条件情報から抽出する検索条件抽出手段とを備えることを特徴とする。
【００１０】
上記検索支援装置によれば、順次異なる検索機能で検索を行っていく場合にも、選択した検索機能に適応した検索条件が抽出されるため、抽出された検索条件に必要な修正や変更を加えるだけで新たな検索を行うことができ、検索条件入力の手間を省略することができ、また、検索条件の削除や大幅な変更を回避することができるため、ヒューマンエラーを回避することが可能となる。
【００１１】
さらに、選択受付手段が直前に受け付けた検索機能が属する機能群と、今回受け付けた検索機能が属する機能群とが異なる場合に、前記検索条件抽出手段の実行を阻止する直前機能群比較手段を備えても良い。
【００１２】
また、前記検索条件抽出手段で抽出される検索条件を表示する検索条件表示手段と、当該検索条件の変更を受け付ける変更受付手段とを備えることが望ましい。
【００１３】
これらによれば、簡便な方法で検索条件入力の手間削減とヒューマンエラー回避を両立させることができる。
【００１４】
さらに、前記検索条件抽出手段により抽出された検索条件を検索装置に送信すると共に、当該検索条件に基づき前記検索装置に検索を実行させる検索実行手段と、直前に選択された検索機能が属する機能群と今回選択された検索機能が属する機能群とが同一である場合に、今回の検索条件が選択されると前記検索実行手段を機能させる即時実行手段とを備えても良い。
【００１５】
これによれば、検索機能を選択することで即座に検索が行われるため、検索に掛かる手間をさらに削減することができる。また、この機能を使用するか否かを任意に選択できるため、検索条件を変更したい場合には、検索のための時間を省略することができる。
なお、上記目的は、前記手段をステップとして実施する方法や当該ステップをコンピュータに実行させるプログラムとしても達成することができる。
【００１６】
また、検索支援装置を備えた検索装置としても上記目的を達成することができる。
【発明の効果】
【００１７】
選択された検索機能に対応して検索条件が引き継がれため、同一機能群に属する検索機能の間で検索機能を切り替えて検索をする場合は、全ての検索条件を再度入力しなければならないというような手間を省略することができる一方、異なる機能群に属する検索機能間で検索をする場合は、検索条件の修正が不要、又は、少なくすることができ、ヒューマンエラーの発生を抑止することが可能となる。
【発明を実施するための最良の形態】
【００１８】
次に、本発明の実施の形態を図面に基づき説明する。
（実施の形態１）
図１は、本実施形態に係る検索支援装置、及び、検索装置を備えた端末１０と、データベースを備えるサーバ１２とからなるシステムの構成図である。
【００１９】
同図に示すように、一つのサーバ１２に対して複数台の端末１０がネットワーク１０１を介して接続されており、各端末１０に備えられる検索装置がサーバ１２に備えられるデータベースにアクセスし、データの検索を行える構成になっている。
【００２０】
図２は、本実施形態に係る検索支援装置の機能構成を示すブロック図である。
【００２１】
本実施形態に係る検索支援装置１００は、ネットワーク１０１を介してデータベース１０２と接続され、当該データベース１０２から必要なデータを検索する検索装置１１５に検索条件などを提供する支援装置であって、記憶部１１２と、選択受付部１１３と、検索条件抽出部１１４と、機能群判定部１１６と、検索実行部１１１と、即時実行部１０９と、入力部１１８と、表示部１１９とを備えている。
【００２２】
記憶部１１２は、データを記憶し保持しておくことのできるハードディスクドライブなどの記憶媒体であって、後述の機能群情報１２１と、検索条件情報１２２が記憶されており、機能群情報記憶手段と検索条件情報記憶手段との機能を併有している。
【００２３】
選択受付部１１３は、記憶部１１２に記憶されている機能群情報１２１に基づき、各検索機能を表示する画面を作成して表示部１１９に当該画面を提供する機能を有しており、また、当該画面上で仮想的に選択された検索機能を受け付けて、該当する検索機能情報を提供する処理部である。
【００２４】
機能群判定部１１６は、選択受付部１１３から提供された検索機能情報に対応する検索機能がどの機能群に属しているかを判断し、該当する機能群を示す機能群識別子を提供する処理部である。
【００２５】
検索条件抽出部１１４は、機能群判定部１１６から提供された機能群識別子に基づき、当該機能群識別子に関連づけられる検索条件を記憶部１１２に記憶されている検索条件情報１２２から抽出する処理部である。
【００２６】
検索実行部１１１は、検索条件抽出部１１４で抽出された提供された検索条件や、任意に入力された検索条件を検索装置１１５に送信すると共に、送信した検索条件に基づいて検索装置１１５に検索を実行させる命令を送信する処理部である。
【００２７】
即時実行部１０９は、機能群判定部１１６で判定された結果を記憶しておき、新たに判定された結果と記憶している判定結果を比較して機能群識別子が同一である場合に、前記検索実行部１１１を機能させる処理部である。この即時実行部１０９は、その機能を実行させるか否かを任意に設定されるものとなされている。
【００２８】
入力部１１８は、キーボードやマウスなどのマンマシンインターフェースを備え、検索機能の選択や検索条件の入力や変更、消去などを受け付ける変更受付部としても機能する処理部である。
【００２９】
表示部１１９は、画像を表示することのできる液晶ディスプレイなどであって、選択受付部１１３等で作成された画像が表示される。また、検索条件抽出部１１４で抽出された検索条件を表示する検索条件表示部としても表示部１１９は機能する。
【００３０】
検索装置１１５は、検索支援装置１００から提供される検索機能の種類と、検索条件を受けて、ネットワーク１０１に接続されたデータベース１０２から該当するデータを検索する装置である。
【００３１】
ネットワーク１０１は、ＬＡＮ（local area network）などの他、インターネットなど信号の送受信を仲介する信号網である。
【００３２】
データベース１０２は、相互に関連する各種データを蓄積したもので、検索装置１１５を使ってデータの検索、利用が可能なものである。
【００３３】
図３は、記憶部１１２に記憶されている機能群情報１２１を例示する図である。
【００３４】
機能群情報１２１は、検索機能に１対１で対応する検索機能情報と、検索機能が属する機能群を区別する機能群識別子（機能群ＩＤ）とが関連づけられた情報であり、検索機能情報に関連づけられる機能群識別子が同じであれば、検索機能情報に対応している検索機能は同一の機能群に属していることとなる。
【００３５】
例えば、「市場占有率（折れ線）」という検索機能情報と、「市場価格推移（折れ線）」と言う検索機能情報と、「販売数・在庫数比較（棒グラフ）」という検索機能情報とは同じ「市場情報」という機能群識別子が結びつけられているので、前記各検索機能情報に対応する検索機能は同じ機能群に属していることになる。
【００３６】
一方、「製造完成品・仕掛品在庫数比較（棒グラフ）」という検索機能情報には、「製造情報」という前記識別子とは異なる機能群識別子が結びつけられているため、この検索機能情報に対応する検索機能は前記機能群とは異なる機能群に属することとなる。
【００３７】
図４は、記憶部１１２に記憶されている検索条件情報１２２を例示する図である。
【００３８】
検索条件情報１２１は、機能群を示す機能群識別子と、検索条件とが各検索項目に対応して結びつけられた情報である。
【００３９】
この検索条件情報１２２は、機能群識別子と、これに結びつけられる検索条件との組で形成されている。
【００４０】
この検索条件情報１２２は、機能群判定部１１６から機能群識別子が提供された後に検索条件が入力された場合、当該機能群識別子に結びつけられて記憶されることにより形成される。なお、検索条件は機能群識別子毎に定められる検索項目に対応して記憶される。
【００４１】
この検索条件の記憶処理は、常に直前に入力された検索条件がそれ以前に入力された検索条件に上書きされて記憶されるものとなされている。具体的には、例えば（図４を参照）、「市場情報」の機能群識別子が機能群判定部１１６から提供された後に、入力部１１８により国・会社の検索項目に「ＵＳＡ」と入力すれば、検索条件情報１２１の「市場情報」という機能群識別子に対応する「国・会社」という検索項目に「ＵＳＡ」という情報が記憶される。この記憶処理は、すでに「日本」等の他の情報や、同一の「ＵＳＡ」との情報が該当する検索項目に存在していたとしても、新たに「ＵＳＡ」という情報が上書きされて記憶される。
【００４２】
つぎに、この実施形態に係る検索支援装置１００の処理動作を説明する。
【００４３】
図５は、検索支援装置１００の処理動作を示すフローチャートである。
【００４４】
検索支援装置１００は、表示部１１９に図６に示す初期画面を表示し（Ｓ５０１）、検索機能の選択や検索条件の入力を促す。
【００４５】
ここで、図６は、検索支援装置１００が表示する初期画面を例示する図である。
【００４６】
同図に示すように、当該画面は、それぞれの領域が異なる役割を担う三つの領域に分割されており、画面左側の検索機能選択領域５０１と、上側の検索条件指定領域５０２と、検索加工結果表示領域５０３とを備えている。
【００４７】
そして、各領域内において、文字を四角形で囲んだ部分はボタン５０４であって、当該ボタン５０４を画面上で仮想的にクリックすることにより選択受付部１１３が検索機能の選択を受け付ける等の処理がなされる。
【００４８】
また、文字が記載されていない四角形で囲まれた部分は入力欄５０５であって、検索条件を入力部１１８によって入力する際に、画面上に入力された内容が表示される領域である。また、入力欄５０５は、検索項目に対応しており、所定の入力欄５０５に表示された検索条件は所定の検索項目と結びつけられる。
【００４９】
同図の検索機能選択領域５０１には複数のボタン５０４が縦に並べて表示されており、各ボタン５０４が一つの検索機能に対応している。そして、「販売・在庫数」と記載されたボタン５０４と、「完成・仕掛品」と記載されたボタン５０４との間は他のボタン間隔よりも広く設定されており、さらに、前記二つのボタン５０４の間に区切りの線が設けられている。このようなボタン５０４の表示方法は、機能群の違いを明示している。
【００５０】
なお、機能群の明示方法は、他に、ボタンの形状や色を機能群毎に統一することにより明示する方法などを採用しても良い。
【００５１】
つぎに、検索機能選択領域５０１内のボタン５０４が画面上で仮想的に押され、選択受付部１１３が検索機能の選択を受け付けたと判断されると（Ｓ５０２）、選択された検索機能に対応する画面（図７）に切り替えられる（Ｓ５０３）。
【００５２】
ここで、図７は、「市場占有率」ボタンを押した状態を例示する図である。
【００５３】
同図に示すように、検索機能の受付に対応して、当該検索機能が属する機能群に対応する検索項目が検索条件指定領域５０２に表示される。
【００５４】
つぎに、選択受付部１１３が受け付けた検索機能がいずれの機能群に属しているかを機能群判定部が機能群情報１２１に基づき判定し、判定された結果である機能群識別子を提供する（Ｓ５０４）。
【００５５】
つぎに、記憶部１１２に記憶されている検索条件情報１２２から検索条件抽出部１１４が、機能群判定部１１６から提供された機能群識別子に対応した検索条件を抽出する。
【００５６】
そして、図８に示すように、検索条件表示手段として機能する表示部１１９は、検索条件指定領域５０２の入力欄５０５に検索項目と対応する位置に検索条件を表示する（Ｓ５０６）。
【００５７】
ここで、図８は、抽出された検索条件が検索条件指定領域５０２に表示された状態を例示する図である。
【００５８】
同図に示すように、検索条件は選択受付部１１３が検索機能の選択を受け付けることにより、受け付けた検索機能に対応した内容が表示される。なお、図７と図８とに記載した画面は、本実施形態ではほぼ瞬時に切り替わるため、図７に示された図面が操作者などにほとんど視認されない。
【００５９】
つぎに、即時実行部１０９が機能している場合は（Ｓ５０７：Ｎ）、選択受付部１１３が検索機能の選択を受け付け検索条件抽出部１１４が検索条件を抽出すると、検索実行部１１１が即時に検索機能情報や検索条件などを検索実行用の信号と共に検索装置１１５に送信する。
【００６０】
一方、即時実行部１０９が機能していない場合は、（Ｓ５０７：Ｎ）、検索条件指定領域５０２の入力欄５０５に表示された検索条件に基づき、変更受付手段として機能する入力部１１８により検索条件の設定、変更が受け付けられる（Ｓ５０８）。
【００６１】
つぎに、検索加工結果表示領域５０３の「検索」と記載されたボタン５０４が押下されると、検索実行部１１１は、設定／変更された検索条件や、検索条件抽出部１１４で抽出された検索条件及び検索機能情報などと共に検索実行用の信号を検索装置１１５に送信する（Ｓ５０９）。
【００６２】
つぎに、記憶部１１２は、検索条件が設定または変更された場合、検索条件情報１２２として、対応する機能群識別子の所定検索項目に新たな検索条件を上書きして記憶する（Ｓ５１１）。
【００６３】
以上により検索装置１１５は、前記検索機能情報に対応する検索機能により送信された検索条件に基づきデータベースからデータを検索する。
【００６４】
一方、入力内容の判断段階（Ｓ５０２）で終了と記載されたボタン５０４が仮想的に押下されたと判断された場合は、画面を消去し（Ｓ５１２）、検索支援装置１００の処理を終了する。
【００６５】
また、再度異なる検索機能で検索・加工をする場合は、Ｓ５０２から繰り返すことになる。もし、前記処理に続いて「市場価格推移」や「販売・在庫数」の検索機能を指定した場合は、同一の機能群内の変更になるため、検索条件指定領域５０２は図８に示すような検索条件が表示されることとなる。
【００６６】
一方、「完成・仕掛品」の検索機能を指定すると、機能群判定部１１６が前回と異なる機能群識別子を提供することとなるため（Ｓ５０４）、図９に示すように、当該機能群識別子に対応する検索条件が検索条件抽出部１１４により抽出され（Ｓ５０５）、検索条件指定領域５０２に検索条件が表示される（Ｓ５０６）。この機能群の場合、「対象」という項目の入力は必要ないため、この項目を入力する入力領域は検索条件指定領域５０２内には存在しない。これにより、検索条件の削除処理等の手間を省略することができる。
【００６７】
図１０は、最終的に検索装置１１５で検索されたデータが折れ線グラフに加工され表示された状態を示す図である。
【００６８】
同図に示すように、検索加工結果表示領域５０３は、検索装置１１５が提供する結果が表示される。
【００６９】
上記の検索支援装置１００によれば、次々に検索機能の選択を受け付けた場合において、直前に選択された検索機能のみが引き継がれるのではなく、選択された検索機能の属する機能群に従い検索機能が引き継がれる。従って、検索機能をどのように変更しても、変更後の検索機能に適した検索条件が引き継がれるため、新たな検索条件の入力を省略させて操作性の向上を図ることができる一方、脈絡なく検索条件が引き継がれることがないため、検索条件の消去忘れや大幅な設定・変更を減少させ、ヒューマンエラーを回避することが可能となる。
（実施の形態２）
つぎに他の実施の形態を図面に基づき説明する。
【００７０】
図１１は、実施形態２にかかる検索支援装置１００の機能構成を示すブロック図である。
【００７１】
本実施形態に係る検索支援装置１００は、前記実施形態と同様に記憶部１１２と、選択受付部１１３と、検索条件抽出部１１４と、機能群判定部１１６と、検索実行部１１１と、即時実行部１０９と、入力部１１８と、表示部１１９とを備えており、加えて、直前機能群比較部１１７を備えている。
【００７２】
直前機能群比較部１１７は、機能群判定部１１６で判定された結果を記憶しておき、新たに判定された結果と記憶している判定結果を比較して機能群識別子が異なる場合に、前記検索条件抽出部１１４の実行を阻止する処理部である。
【００７３】
なお、その他の処理部は前記実施形態と同様であるため、その説明を省略する。
【００７４】
図１２は、本実施形態に係る検索条件情報１２２を示す図である。
【００７５】
同図（ａ）、（ｂ）、（ｃ）に示すように、検索条件情報１２２は、直前に選択された検索機能が属する機能群を示す機能群情報と、直前に入力された検索条件とが結びつけられた情報のみが記憶部１１２に記憶される。従って、検索機能を次々に選択すると、以前に記憶された検索条件などは消去され、直前の検索情報のみが存在することとなる。
【００７６】
図１３は、本実施形態にかかる検索支援装置の処理動作を示すフローチャートである。
【００７７】
本実施形態に係る検索支援装置１００の処理動作は、ほぼ前記実施形態と同じであるため、異なるステップのみ説明する。
【００７８】
選択受付部１１３が検索機能の選択を受け付けた後、直前機能群比較部１１７は、機能群判定部１１６が直前に提供した機能群識別子と今回提供した機能群識別子を比較判断する（Ｓ５０４）。
【００７９】
直前機能群比較部１１７が同一の機能群識別子であると判断すれば（Ｓ５０４：Ｙ）、検索条件情報１２２から検索条件を抽出し（Ｓ５０５）、表示する（Ｓ５０６）。
【００８０】
一方、同一の機能群識別子でないと判断すれば（Ｓ５０４：Ｎ）、検索条件指定領域５０２の入力欄５０５に表示されている検索条件はクリアされ、検索条件の設定ステップ（Ｓ５０８）に移行する。
【００８１】
本実施形態によれば、同一機能群に属する検索機能間内で検索機能を変更している間は検索条件が引き継がれ、異なる機能群に属する検索機能を選択すると検索条件は引き継がれることなくクリアされるため、検索条件入力の手間が省くことができる一方、必要な場合には一から検索条件の入力を促すことができるため、適切に検索装置に対する検索条件の入力を支援することが可能となる。
【産業上の利用可能性】
【００８２】
本発明は、データベースの検索における検索条件の入力を支援する支援装置等に適用できる。
【図面の簡単な説明】
【００８３】
【図１】本実施形態に係る検索支援装置、及び、検索装置を備えた端末と、データベースを備えるサーバとからなるシステムの構成図である。
【図２】本実施形態に係る検索支援装置の機能構成を示すブロック図である。
【図３】記憶部に記憶されている機能群情報を例示する図である。
【図４】記憶部に記憶されている検索条件情報を例示する図である。
【図５】検索支援装置の処理動作を示すフローチャートである。
【図６】初期画面を例示する図である。
【図７】画面例を示す図である。
【図８】画面例を示す図である。
【図９】画面例を示す図である。
【図１０】画面例を示す図である。
【図１１】他の実施形態にかかる検索支援装置の機能構成を示すブロック図である。
【図１２】本実施形態に係る検索条件情報を示す図である。
【図１３】本実施形態にかかる検索支援装置の処理動作を示すフローチャートである。
【符号の説明】
【００８４】
１０    端末
１２    サーバ
１００  検索支援装置
１０１  ネットワーク
１０２  データベース
１０９  即時実行部
１１１  検索実行部
１１２  記憶部
１１３  選択受付部
１１４  検索条件抽出部
１１５  検索装置
１１６  機能群判定部
１１７  直前機能群比較部
１１８  入力部
１１９  表示部
１２１  機能群情報
１２２  検索条件情報
５０１  検索機能選択領域
５０２  検索条件指定領域
５０３  検索加工結果表示領域
５０４  ボタン
５０５  入力欄
【図１】
2007025949.tif 000003
【図２】
2007025949.tif 000004
【図３】
2007025949.tif 000005
【図４】
2007025949.tif 000006
【図５】
2007025949.tif 000007
【図６】
2007025949.tif 000008
【図７】
2007025949.tif 000009
【図８】
2007025949.tif 000010
【図９】
2007025949.tif 000011
【図１０】
2007025949.tif 000012
【図１１】
2007025949.tif 000013
【図１２】
2007025949.tif 000014
【図１３】
2007025949.tif 000015